(57)【要約】      （修正有）【課題】省電力化と操作者の使い勝手の向上との両立を図る。【解決手段】表示装置１は、階層的に配置した複数の表示媒体１０−１〜１０−ｎと、記憶部３０と、制御部４０とを有し、各表示媒体１０−１〜１０−ｎには光センサ１１が配置され、制御部４０は、各光センサ１１の外来光の検出結果に基づいて、表示媒体１０−１〜１０−ｎの捲り状況を検出するとともに、表示媒体１０−１〜１０−ｎを選択的にオンにして、オンにした表示媒体に情報を表示させ、最前面の表示媒体の表示をオンにすると共に、最前面の表示媒体の下層に位置する表示媒体のうち、少なくとも先頭の表示媒体の表示をオンにする。操作者が最前面の表示媒体のみを捲った場合、新たに最前面に位置する表示媒体は既に表示がオンになっているため、情報が遅れて表示されることがなく、操作者の使い勝手が向上する。【選択図】図２
2013068866.tif 000002
【特許請求の範囲】
【請求項１】
階層的に配置した複数の表示媒体と、
最前面の表示媒体の表示をオンにすると共に、該最前面の表示媒体の下層に位置する表示媒体のうち、少なくとも先頭の表示媒体の表示をオンにする制御部と、を有する表示装置。
【請求項２】
前記制御部は、
前記表示媒体の捲り状況を検出し、
前記表示媒体の捲り状況に基づいて、前記最前面の表示媒体の下層に位置する表示媒体のうち、先頭からどこまでの表示媒体の表示をオンにするか決定し、
前記最前面の表示媒体の下層に位置する表示媒体のうち、前記決定した表示媒体の表示をオンし、前記決定した表示媒体以外の表示媒体の表示をオフする、請求項１に記載の表示装置。
【請求項３】
前記制御部は、
前記表示媒体の捲り状況として、単位時間当たりに捲られた前記表示媒体の数を検出し、
単位時間当たりに捲られた前記表示媒体の数に基づいて、前記最前面の表示媒体の下層に位置する表示媒体のうち、先頭からどこまでの表示媒体の表示をオンにするか決定する、請求項２に記載の表示装置。
【請求項４】
前記制御部は、
前記表示媒体の捲り状況として、同時に捲られた前記表示媒体の数を検出し、
同時に捲られた前記表示媒体の数に基づいて、前記最前面の表示媒体の下層に位置する表示媒体のうち、先頭からどこまでの表示媒体の表示をオンにするか決定する、請求項２に記載の表示装置。
【請求項５】
前記制御部は、
複数の表示媒体が同時にまとめて捲られた場合、該複数の表示媒体のうち、先頭の表示媒体の表示をオンにし、該先頭の表示媒体以外の表示媒体の表示をオフにする、請求項４に記載の表示装置。
【請求項６】
階層的に配置した複数の表示媒体を有する表示装置による表示方法であって、
最前面の表示媒体の表示をオンにし、
前記最前面の表示媒体の下層に位置する表示媒体のうち、少なくとも先頭の表示媒体の表示をオンにする、表示方法。
【請求項７】
階層的に配置した複数の表示媒体を有する表示装置に、
最前面の表示媒体の表示をオンにする手順と、
前記最前面の表示媒体の下層に位置する表示媒体のうち、少なくとも先頭の表示媒体の表示をオンにする手順と、を実行させるためのプログラム。
【発明の詳細な説明】
【技術分野】
【０００１】
本発明は、情報を表示する表示装置、表示方法およびプログラムに関する。
【背景技術】
【０００２】
近年、情報を表示する表示装置として、複数の薄い表示媒体から構成され、複数の表示媒体の各々に情報を表示するものが提案されている（例えば、特許文献１参照。）。
【０００３】
なお、本明細書では、表示装置を閉じた状態で一番上位にある表示媒体、または、操作者に面して一番上位にある表示媒体を最上層とし、逆方向にある表示媒体を下層にあると定義する。また、表示装置を開いた状態で、表示媒体の情報を表示する表示部の全面が操作者から視認可能となる表面上に位置する表示媒体を最前面と定義する。
【先行技術文献】
【特許文献】
【０００４】
【特許文献１】特開２００３−５８０８１号公報
【発明の概要】
【発明が解決しようとする課題】
【０００５】
しかし、特許文献１に開示された表示装置において、複数の表示媒体の表示を全てオンにする場合、消費電力の増大が懸念される。
【０００６】
そこで、省電力化の観点で、複数の表示媒体のうち最前面に位置する表示媒体のみ表示をオンすることが考えられる。
【０００７】
しかし、最前面の表示媒体のみ表示をオンする場合、その最前面の表示媒体を操作者が捲った段階では、新たに最前面に位置する表示媒体は表示がオフとされており、その後に表示がオンになって情報が表示されることになるため、情報の表示が遅くなり、操作者の使い勝手が悪い。
【０００８】
このように、特許文献１に開示された表示装置においては、省電力化と操作者の使い勝手の向上との両立を図ることができないという問題点がある。
【０００９】
そこで、本発明の目的は、上述した課題を解決することができる表示装置、表示方法およびプログラムを提供することにある。
【課題を解決するための手段】
【００１０】
本発明の表示装置は、
階層的に配置した複数の表示媒体と、
最前面の表示媒体の表示をオンにすると共に、該最前面の表示媒体の下層に位置する表示媒体のうち、少なくとも先頭の表示媒体の表示をオンにする制御部と、を有する。
【００１１】
本発明の表示方法は、
階層的に配置した複数の表示媒体を有する表示装置による表示方法であって、
最前面の表示媒体の表示をオンにし、
前記最前面の表示媒体の下層に位置する表示媒体のうち、少なくとも先頭の表示媒体の表示をオンにする。
【００１２】
本発明のプログラムは、
階層的に配置した複数の表示媒体を有する表示装置に、
最前面の表示媒体の表示をオンにする手順と、
前記最前面の表示媒体の下層に位置する表示媒体のうち、少なくとも先頭の表示媒体の表示をオンにする手順と、を実行させる。
【発明の効果】
【００１３】
本発明によれば、階層的に配置した複数の表示媒体を有する表示装置において、最前面の表示媒体の表示をオンにすると共に、最前面の表示媒体の下層に位置する表示媒体のうち、少なくとも先頭の表示媒体の表示をオンにする。
【００１４】
そのため、操作者が最前面の表示媒体のみを捲った場合、新たに最前面に位置する表示媒体は既に表示がオンになっているため、情報が遅れて表示されることがなく、操作者の使い勝手が向上する。
【００１５】
また、最前面の表示媒体の下層に位置する表示媒体のうちの先頭以外の表示媒体については、任意の表示媒体の表示をオフとすることで、省電力化も図れる。
【００１６】
したがって、省電力化と操作者の使い勝手の向上との両立を図ることができるという効果が得られる。
【図面の簡単な説明】
【００１７】
【図１】本発明の一実施形態の表示装置の外観図である。
【図２】図１に示した表示装置の機能ブロック図である。
【図３】図１に示した表示装置の動作例１の流れを説明するフローチャートである。
【図４】図２に示した記憶部が記憶するテーブルを示す図である。
【図５】図１に示した表示装置の動作例１の具体例を説明する図である。
【図６】図１に示した表示装置の動作例２の流れを説明するフローチャートである。
【図７】図１に示した表示装置の動作例２の具体例を説明する図である。
【発明を実施するための形態】
【００１８】
以下に、本発明を実施するための形態について図面を参照して説明する。
（１）本実施形態の構成
図１は、本実施形態の表示装置１の外観図である。
【００１９】
図１に示すように、本実施形態の表示装置１は、階層的に重ねた表示媒体１０−１〜１０−ｎ（以下、どの表示媒体か特定しないときは表示媒体１０と称す）と、束ねた表示媒体１０−１〜１０−ｎ個々の一辺を保持する保持部２０と、を有している。なお、図１においては、ｎを５とし、表示媒体１０が５つである場合を例に挙げて示しているが、ｎは２以上の自然数であれば良い。
【００２０】
表示媒体１０−１〜１０−ｎは、画像や文字等の情報を表示する表示部を有する表示媒体であり、例えば、電子ペーパー等である。なお、情報を表示する表示部は、表面、裏面少なくともいずれか一方の面上に実装されていれば良い。
【００２１】
また、表示媒体１０−１〜１０−ｎは、上述した表示部を有する他、表示面側の右隅に配置された光センサ１１を有しており、表示媒体１０が最前面に位置しているときに、この光センサ１１で外来光を検出する。なお、光センサ１１の位置は、右隅に限定されず、表示媒体１０が最前面に位置しているときに外来光を検出可能な位置に配置されていれば良い。また、光センサ１１は、表示部内に内包されていても良い。
【００２２】
保持部２０は、表示媒体１０−１〜１０−ｎ個々を着脱可能であり、かつ、見開き可能に表示媒体１０−１〜１０−ｎを保持することも可能とする。
【００２３】
図２は、本実施形態の表示装置１の機能ブロック図である。
【００２４】
図２に示すように、本実施形態の表示装置は、表示媒体１０−１〜１０−ｎと、記憶部３０と、制御部４０と、を有している。なお、記憶部３０および制御部４０は、図１に示した保持部２０の内部に設けられている。
【００２５】
表示媒体１０−１〜１０−ｎは、上述のように、光センサ１１が配置される。
【００２６】
記憶部３０は、表示媒体１０−１〜１０−ｎに表示する情報を記憶する。
【００２７】
制御部４０は、表示媒体１０−１〜１０−ｎに配置された各光センサ１１の外来光の検出結果に基づいて、光センサ１１で外来光を検出した表示媒体１０を、最前面に位置していると判断する。
【００２８】
また、制御部４０は、表示媒体１０−１〜１０−ｎに配置された各光センサ１１の外来光の検出結果に基づいて、表示媒体１０−１〜１０−ｎの捲り状況を検出する。
【００２９】
例えば、制御部４０は、表示媒体１０−１〜１０−ｎの捲り状況として、同時に捲られた表示媒体１０の枚数を検出する。例えば、制御部４０は、表示媒体１０−１の光センサ１１で外来光が検出された後に、表示媒体１０−２の光センサ１１で外来光が検出された場合、表示媒体１０−１のみが捲られたと判断する。また、表示媒体１０−１の光センサ１１で外来光が検出された後に、表示媒体１０−３の光センサ１１で外来光が検出された場合、表示媒体１０−１，１０−２が同時にまとめて捲られたと判断する。
【００３０】
また、制御部４０は、表示媒体１０−１〜１０−ｎの捲り状況として、表示媒体１０−１〜１０−ｎの捲り速度を検出する。例えば、制御部４０は、不図示の時計部が出力する現在時刻の時刻情報を用いて、表示媒体１０−１〜１０−ｎの捲り速度として、単位時間当たりに捲られた表示媒体１０の枚数を検出する。
【００３１】
また、制御部４０は、表示媒体１０−１〜１０−ｎを選択的にオンにして、オンにした表示媒体１０に情報を表示させる。
【００３２】
本実施形態においては、制御部４０は、最前面の表示媒体１０の表示をオンにすると共に、最前面の表示媒体１０の下層に位置する表示媒体１０のうち、少なくとも先頭の表示媒体１０の表示をオンにする。
【００３３】
ここで、表示媒体１０の表示のオフとは、概念的には、情報を表示しているオン状態と比較して、相対的に輝度が低い状態を言うものとする。例えば、表示媒体１０を液晶パネルとバックライトとで構成する場合は、バックライトを点灯している状態がオン、消灯している状態がオフとなる。
【００３４】
そのため、操作者が最前面の表示媒体１０のみを捲った場合、新たに最前面に位置する表示媒体１０は既に表示がオンになっているため、情報が遅れて表示されることがなく、操作者の使い勝手が向上する。
【００３５】
また、最前面の表示媒体１０の下層に位置する表示媒体１０のうちの先頭以外の任意の表示媒体１０の表示をオフとすることで、省電力化も図れる。
【００３６】
したがって、省電力化と操作者の使い勝手の向上との両立を図ることができる。
【００３７】
なお、制御部４０は、最前面の表示媒体１０の下層に位置する表示媒体１０のうちの先頭以外の表示媒体１０の表示のオン／オフについては、表示媒体１０−１〜１０−ｎの捲り状況に基づき決定するが、詳細は後述する。
（２）本実施形態の動作
以下、本実施形態の表示装置１の動作について説明する。なお、以下では、表示媒体１０は、表示装置１が閉状態であるときに、操作者から向かって見える方である表面に表示部を配置するものとし、裏面には表示部を実装しないものとして説明を進める。
（２−１）動作例１
図３は、本実施形態の表示装置１の動作例１の流れを説明するフローチャートである。なお、図３において、最前面の表示媒体１０は表示がオンとなっているものとする。
【００３８】
図３に示すように、まず、制御部４０は、表示媒体１０−１〜１０−ｎに配置された各光センサ１１の外来光の検出結果に基づいて、最前面の表示媒体１０を特定する（ステップＳ１１）。
【００３９】
続いて、制御部４０は、表示媒体１０−１〜１０−ｎに配置された各光センサ１１の外来光の検出結果と、不図示の時計部が出力する時刻情報に基づいて、表示媒体１０−１〜１０−ｎの捲り速度として、ステップＳ１１で特定した表示媒体１０が最前面に位置する直前の単位時間当たりに捲られた表示媒体１０の枚数を検出する（ステップＳ１２）。
【００４０】
続いて、制御部４０は、ステップＳ１２で検出した、直前の単位時間当たりに捲られた表示媒体１０の枚数を基に、操作者の捲り速度を判断する。すなわち、制御部４０は、最前面の表示媒体１０の下層に位置する表示媒体１０のうち、先頭からどこまでの表示媒体１０の表示をオンするか決定する（ステップＳ１３）。
【００４１】
ここで、操作者の捲り速度が早い場合、事前に下層より下の方の表示媒体１０まで表示をオンにしておかないと、表示媒体１０を捲った時点で最前面に位置する表示媒体１０の表示がオフになっている可能性がある。この場合、その後にその表示媒体１０の表示をオンすることになるため、情報の表示が遅くなり、操作者の使い勝手が悪くなる。
【００４２】
そこで、動作例１においては、捲り速度が速くなるほど、最前面の表示媒体１０の下層の、表示をオンする表示媒体１０の枚数が多くなるよう設定されたテーブルを記憶部３０に予め記憶させておく。このテーブルの一例を図４に示す。なお、図４において、捲り速度は、単位時間（ｘ秒）当たりに捲られた表示媒体１０の枚数として示されている。また、図４の数値は一例であって、これに限定されるものではない。
【００４３】
そのため、ステップＳ１３においては、制御部４０は、ステップＳ１２で検出した、直前の単位時間当たりに捲られた表示媒体１０の枚数を、記憶部３０に記憶されたテーブルと照合して、最前面の表示媒体１０の下層に位置する表示媒体１０について、先頭からどこまでの表示媒体１０の表示をオンするか決定する。
【００４４】
その後、制御部４０は、最前面の表示媒体１０の下層に位置する表示媒体１０のうち、ステップＳ１３で決定した表示媒体１０の表示をオンし、それ以外の表示媒体１０の表示をオフする（ステップＳ１４）。
【００４５】
以下、動作例１について具体例を挙げて説明する。
【００４６】
ここでは、図５に示すように、表示装置１において、ｎを３０とし、３０枚の表示媒体１０−１〜１０−３０が設けられているものとする。また、現時点では最前面に表示媒体１０−１０が位置しており、表示媒体１０−１０が最前面に位置する直前のｘ秒間には４枚の表示媒体１０−６〜１０−９が捲られていたものとする。
【００４７】
この場合、制御部４０は、まず、記憶部３０に記憶されたテーブルを参照して、直前のｘ秒間に表示媒体１０が４枚捲られている場合、最前面の表示媒体１０の下層の５枚分の表示媒体１０の表示をオンすることを確認する。
【００４８】
そのため、制御部４０は、最前面の表示媒体１０−１０の下層に位置する表示媒体１０−１１〜１０−３０のうち、先頭の表示媒体１０−１１から５枚分の表示媒体１０−１１〜１０−１５の表示をオンにし、これ以外の表示媒体１０−１６〜１０−３０の表示をオフにする。
【００４９】
なお、動作例１においては、表示媒体１０は、表面に表示部を配置し、裏面には表示部を実装しないと仮定しているため、最前面の表示媒体１０は１つのみ存在するが、表裏の両面に表示部を実装する場合、最前面の表示媒体１０は２つ存在し、これら２つの表示媒体１０がステップＳ１１で特定される。この場合、ステップＳ１１で特定された２つの表示媒体１０の各々について、ステップ１２以降の処理が行われる。この場合、捲り方向に位置する表示媒体１０に対しては、表示オンとし、捲り方向に位置しない下層の表示媒体１０に対しては、表示オンとしない設定を予めしておく必要がある。
（２−２）動作例２
図６は、本実施形態の表示装置１の動作例２の流れを説明するフローチャートである。なお、図６において、最前面の表示媒体１０は表示がオンとなっているものとする。
【００５０】
図６に示すように、まず、制御部４０は、表示媒体１０−１〜１０−ｎに配置された各光センサ１１の外来光の検出結果に基づいて、最前面の表示媒体１０を特定する（ステップＳ２１）。
【００５１】
続いて、制御部４０は、表示媒体１０−１〜１０−ｎに配置された各光センサ１１の外来光の検出結果に基づいて、直近の表示媒体１０の捲り時に、同時に捲られた表示媒体１０の枚数を検出する（ステップＳ２２）。
【００５２】
続いて、制御部４０は、ステップＳ２２で検出した、直近に同時に捲られた表示媒体１０の枚数を基に、最前面の表示媒体１０の下層に位置する表示媒体１０のうち、捲り方向に位置する先頭からどこまでの表示媒体１０の表示をオンするか決定する（ステップＳ２３）。
【００５３】
ここで、操作者は、表示媒体１０を繰り返し捲る場合、直近に捲った枚数と同じ枚数分の表示媒体１０を再度捲る可能性があると考えられる。
【００５４】
そのため、ステップＳ２３においては、制御部４０は、最前面の表示媒体１０の下層に位置する表示媒体１０のうち、先頭の表示媒体１０から、捲り方向に位置する直近に同時に捲られた表示媒体１０と同枚数分の表示媒体１０までを、表示をオンにすると決定する。
【００５５】
ただし、表示媒体１０−１が最前面に位置している場合は、直近に表示媒体１０が捲られることはあり得ない。そのため、この場合は、その下層に位置する表示媒体１０−２〜１０−３０のうち、先頭の表示媒体１０−２のみ表示をオンするものとする。
【００５６】
その後、制御部４０は、最前面の表示媒体１０の下層に位置する表示媒体１０のうち、ステップＳ２３で決定した表示媒体１０の表示をオンし、それ以外の表示媒体１０の表示をオフする（ステップＳ２４）。
【００５７】
以下、動作例２について具体例を挙げて説明する。
【００５８】
ここでは、図７に示すように、表示装置１において、ｎを３０とし、３０枚の表示媒体１０−１〜１０−３０が設けられているものとする。また、現時点では最前面に表示媒体１０−１０が位置しており、直近には３枚の表示媒体１０−７〜１０−９が同時にまとめて捲られていたものとする。
【００５９】
この場合、制御部４０は、最前面の表示媒体１０−１０の下層に位置する表示媒体１０−１１〜１０−３０のうち、先頭の表示媒体１０−１１から３枚分の表示媒体１０−１１〜１０−１３の表示をオンにし、これ以外の表示媒体１０−１４〜１０−３０の表示をオフにする。
【００６０】
なお、直近に複数の表示媒体１０が同時にまとめて捲られていた場合、その捲られた複数の表示媒体１０については、省電力化の観点から、表示を全てオフにすることも考えられる。しかし、その捲られた複数の表示媒体１０のうち先頭の表示媒体１０については、元々最前面に位置していて、操作者が閲覧していたと考えられるため、操作者が表示媒体１０を元に戻して再度閲覧する可能性がある。ただし、表示媒体１０を元に戻した時点で、その表示媒体１０がオフであると、その後に表示をオンすることになるため、情報の表示が遅くなり、操作者の使い勝手が悪くなる。
【００６１】
そこで、本実施形態においては、直近に複数の表示媒体１０が同時にまとめて捲られていた場合、その捲られた複数の表示媒体１０のうち、先頭の表示媒体１０の表示をオンにし、先頭の表示媒体１０以外の表示媒体１０の表示をオフにしても良い。
【００６２】
例えば、図７においては、直近に３枚の表示媒体１０−７〜１０−９が同時にまとめて捲られているため、先頭の表示媒体１０−７の表示をオンにし、これ以外の表示媒体１０−８〜１０−９の表示をオフにする。
【００６３】
また、本実施形態においては、直近に１枚の表示媒体１０のみが捲られていた場合、操作者の使い勝手の観点から、その捲られた表示媒体１０の表示をオンにしても良い。
【００６４】
なお、動作例２においては、表示媒体１０は、表面に表示部を配置し、裏面には表示部を実装しないと仮定しているため、最前面の表示媒体１０は１つのみ存在するが、表裏の両面に表示部を実装する場合、最前面の表示媒体１０は２つ存在し、これら２つの表示媒体１０がステップＳ２１で特定される。この場合、ステップＳ２１で特定された２つの表示媒体１０の各々について、ステップ２２以降の処理が行われる。この場合、捲り方向に位置する表示媒体１０に対しては、表示オンとし、捲り方向に位置しない下層の表示媒体１０に対しては、表示オンとしない設定を予めしておく必要がある。
【００６５】
上述したように本実施形態においては、制御部４０は、最前面の表示媒体１０の表示をオンにすると共に、最前面の表示媒体１０の下層に位置する表示媒体１０のうち、少なくとも先頭の表示媒体１０の表示をオンにする。
【００６６】
そのため、操作者が最前面の表示媒体１０のみを捲った場合、新たに最前面に位置する表示媒体１０は既に表示がオンになっているため、情報が遅れて表示されることがなく、操作者の使い勝手が向上する。
【００６７】
また、最前面の表示媒体１０の下層に位置する表示媒体１０のうちの先頭以外の任意の表示媒体１０の表示をオフとすることで、省電力化も図れる。
【００６８】
したがって、省電力化と操作者の使い勝手の向上との両立を図ることができる。
【００６９】
以上、実施形態を参照して本発明を説明したが、本発明は上記実施形態に限定されるものではない。本発明の構成や詳細には、本発明の範囲内で当業者が理解し得る様々な変更をすることができる。
【００７０】
例えば、上記実施形態においては、光センサ１１を用いて、最前面に位置している表示媒体１０や、表示媒体１０の捲り状況を判断したが、本発明はこれに限定されない。
【００７１】
例えば、表示媒体１０の捲り状況については、操作者の指やペンによる接触と、その接触位置を検出するタッチセンサ（タッチパネルを含む）を各表示媒体１０に設け、タッチセンサが所定のパターンを検出しても良い。
【００７２】
所定のパターンとしては、表示媒体１０の端面、端面周辺の少なくとも一方が、所定時間内に接触状態から非接触状態に変化するパターンが考えられる。このパターンの場合、表示媒体１０がパラパラと捲られたと判断することができる。
【００７３】
また、所定のパターンとしては、複数の表示媒体１０全体の前面と背面の略同じ領域が同時に接触状態になり、略同時に非接触状態に変化するパターンが考えられる。このパターンの場合、複数の表示媒体１０がまとめて捲られたと判断することができる。
【００７４】
また、タッチセンサによる上記の制御は、光センサ１１と併用しても良い。例えば、上記の制御は、光センサ１１により外来光を検出した表示媒体１０が関連する場合に行う。
【００７５】
なお、本発明の表示装置１にて行われる方法は、コンピュータに実行させるためのプログラムに適用してもよい。また、そのプログラムを記憶媒体に格納することも可能であり、ネットワークを介して外部に提供することも可能である。
【符号の説明】
【００７６】
１    表示装置
１０−１〜１０−ｎ    表示媒体
１１    光センサ
２０    保持部
３０    記憶部
４０    制御部
【図１】
2013068866.tif 000003
【図２】
2013068866.tif 000004
【図３】
2013068866.tif 000005
【図４】
2013068866.tif 000006
【図５】
2013068866.tif 000007
【図６】
2013068866.tif 000008
【図７】
2013068866.tif 000009